(57)【特許請求の範囲】
【請求項１】
閃光発光を行う発光手段と、
前記発光手段の発光量を監視する発光監視手段と、
前記発光監視手段による発光量の監視結果と所定の目標発光量との比較に基づいて、前記発光手段の発光を停止させる発光制御手段と、
前記発光手段で発光可能な複数の前記目標発光量を前記発光手段のフル発光量でそれぞれ除した値である複数の発光率と、当該各目標発光量で発光したときの発光停止後のオーバーラン光量をそれぞれ当該フル発光量で除した値である複数のオーバーラン率との対応関係を示した予測テーブルを記憶する記憶部と、を備え、
前記発光制御手段は、
前記発光手段が前記所定の目標発光量の発光を行う前に、当該発光手段が発光可能なフル発光量を推定し、
前記所定の目標発光量に対する前記オーバーラン光量を、当該所定の目標発光量、前記推定されたフル発光量、および前記予測テーブルを用いて予測し、
前記予測されたオーバーラン光量と、前記所定の目標発光量と、前記推定されたフル発光量を用いる演算式の演算結果に基づいて、発光停止タイミングの補正を行う
ことを特徴とするストロボ装置。
【請求項２】
請求項１に記載のストロボ装置において、
前記発光監視手段は、
前記発光手段からの光を受光し、受光した光強度に応じた出力を発生する光電変換手段と、
前記光電変換手段が発生する出力を蓄積する蓄積手段と、
前記蓄積手段の蓄積量が略一定するように、前記蓄積手段から所定蓄積量を逐次放出させる放出制御手段と、
前記放出制御手段による所定蓄積量の放出回数を計数し、計数結果を発光量の監視結果として出力する計数手段とを有する
ことを特徴とするストロボ装置。
【請求項３】
請求項１または請求項２に記載のストロボ装置において、
前記発光制御手段は、
前記発光手段の発光／停止を複数回繰り返して分割発光を行う場合、発光１回ごとに発光停止タイミングの補正を行う
ことを特徴とするストロボ装置。
【請求項４】
請求項１または請求項２に記載のストロボ装置において、
前記発光制御手段は、
前記発光手段の発光／停止を複数回繰り返して分割発光を行う場合、分割発光全体についてオーバーラン光量の総和を予測し、オーバーラン光量の総和に応じて発光回数を補正する
ことを特徴とするストロボ装置。
【発明の詳細な説明】
【０００１】
【発明の属する技術分野】
本発明は、調光制御の可能なストロボ装置に関する。特に、本発明は、微少発光時において高精度に調光制御を行うための技術に関する。
【０００２】
【従来の技術】
図８は、ストロボ装置の従来例を示す図である。
以下、図８を用いて従来例の動作概要を説明する。まず、フォトダイオードＰＤには、ストロボの発光強度に応じて電子・ホール対が発生する。この電子・ホール対は、フォトダイオードＰＤ内の空乏領域を境に分離された後、オペアンプＯＰ１の入力端子間に生じる仮想的な短絡状態（イマジナリショート）によって効率的に引き出され、光電流Ｉｒとなる。この光電流Ｉｒは、ダイオードＤを流れた後、オペアンプＯＰ１の出力端子に吸収される。このとき、オペアンプＯＰ１の出力端子には、バイアス電圧Ｖ１からダイオードＤの順方向電圧分だけ降下した電圧が生じる。このオペアンプＯＰ１の出力電圧は、トランジスタＴｒ２のエミッタに印加される。一方、このトランジスタＴｒ２のベースには、オペアンプＯＰ２によるボルテージホロワ回路を介してゲイン調整電圧Ｖ２が印加される。
【０００３】
その結果、ダイオードＤの順方向電圧によって対数圧縮された光電流は、トランジスタＴｒ２の（Ｖｂｅ−Ｉｃ）特性によって逆に指数伸長され、光強度に応じた光検出電流Ｉｐに復元される。このとき、ゲイン調整電圧Ｖ２を増減することにより、光強度に対する光検出電流Ｉｐのゲインを、フィルム感度などに合わせて調整することが可能となる。
【０００４】
このようにして得た光検出電流Ｉｐは、負荷であるキャパシタＣおよび抵抗Ｒｄを流れて光検出電圧Ｖｐに変換される。この光検出電圧Ｖｐは、コンパレータＣＭＰにおいて閾値電圧Ｖｔｈと比較される。コンパレータＣＭＰは、この光検出電圧が閾値Ｖｔｈを上回ると、発光停止信号ＳＴＯＰをストロボの発光停止回路（図示せず）へ出力する。なお、トランジスタＴｒｌは、キャパシタＣの蓄積電荷をリセットするためのスイッチ回路であり、発光開始時点まで短絡状態に保たれる。
【０００５】
このような動作において閾値電圧Ｖｔｈを変更することにより、ストロボの発光量（発光停止するまでの積分光量）を制御することが可能となる。
図９（Ａ）〜（Ｃ）は、上述したストロボ装置における発光波形である。発光停止信号ＳＴＯＰの出力直後、発光波形は、減衰しながら発光を継続した後、完全に消灯する。この残光分の発光量（以下『オーバーラン光量』という）は、調光制御における制御誤差となる。
【０００６】
従来、このような制御誤差を改善するため、抵抗Ｒｄを用いた微分補正が行われていた。この抵抗Ｒｄの両端には、光強度に応じた電圧降下がリアルタイムに発生する。この電圧降下は、キャパシタＣの蓄積電圧（光強度の積算値であり、発光量に相当する）に加算され、光検出電圧Ｖｐを押し上げる。そのため、瞬間的な光強度が高いほど、光検出電圧Ｖｐは見掛け上大きくなり、発光停止信号ＳＴＯＰが早めに出力される。一般に、発光停止時点の発光強度が強いほど、オーバーラン光量も大きく生じるので、このような微分補正によって、調光制御の制御誤差をある程度まで改善することが可能であった。
【０００７】
【発明が解決しようとする課題】
ところで、微少発光においては、図９（Ｂ）に示すように目標発光量に対するオーバーラン光量の比率が大きく、３０％程度の制御誤差が生じる場合も想定された。
しかしながら、従来の微分補正では、微少光量時における抵抗Ｒｄの電圧降下は極端に小さく、補正効果はほとんど期待できなかった。
そこで、本発明では、上記問題点に鑑みて、微少発光時においても調光精度を改善することが可能なストロボ装置を提供することを目的とする。
【０００８】
【課題を解決するための手段】
本発明のストロボ装置は、閃光発光を行う発光手段と、発光手段の発光量を監視する発光監視手段と、発光監視手段による発光量の監視結果と所定の目標発光量との比較に基づいて、発光手段の発光を停止させる発光制御手段と、発光手段で発光可能な複数の目標発光量を発光手段のフル発光量でそれぞれ除した値である複数の発光率と、当該各目標発光量で発光したときの発光停止後のオーバーラン光量をそれぞれ当該フル発光量で除した値である複数のオーバーラン率との対応関係を示した予測テーブルを記憶する記憶部とを備え、発光制御手段は、発光手段が所定の目標発光量の発光を行う前に、当該発光手段が発光可能なフル発光量を推定し、所定の目標発光量に対するオーバーラン光量を、当該所定の目標発光量、推定されたフル発光量、および予測テーブルを用いて予測し、予測されたオーバーラン光量と、所定の目標発光量と、推定されたフル発光量を用いる演算式の演算結果に基づいて、発光停止タイミングの補正を行うことを特徴とする。
【０００９】
上記構成では、目標発光量から予測したオーバーラン光量に基づいて、発光停止タイミングの補正を行う。そのため、従来の微分補正とは異なり、瞬間的な光強度の大きさに依存せずに、オーバーラン光量分の補正を確実に行うことが可能となる。したがって、微少発光時においても調光制御の精度を確実に改善することが可能となる。
【００１０】
なお、上記構成においては、発光監視手段が、発光手段の光を直接的に受光するものであることが特に好ましい。この場合、発光監視手段は、被写体距離や被写体反射率などの外的影響を受けることがなく、光量監視の条件がほぼ毎回一定する。したがって、これらの外的影響を考慮せずに予測を行うことが可能となり、オーバーラン光量の予測精度が確実に高くなる。さらに、光量監視の条件がほぼ毎回一定することから、発光停止タイミングを早める際の補正精度も当然に高くなる。これらの相乗的な効果により、調光制御の精度をさらに改善することが可能となる。
また、一般に、昇圧電圧の変動、ストロボ発光管の経年変化などの要因により、フル発光量は変化する。このようにフル発光量が変化した場合、オーバーラン光量も当然変化するため、上述したオーバーラン光量の予測精度は必然的に低下する。
そこで、上記構成では、目標発光量とフル発光量との比率（発光率）に基づいてオーバーラン光量を予測する。このようにフル発光量で正規化した発光率に基づいて予測を行うことにより、フル発光量の変動の影響を軽減し、予測精度の低下を改善することが可能となる。
なお、フル発光量については、例えば、発光前の昇圧電圧値から推定したり、前回の発光量や過去の発光履歴や予備発光時の光量監視結果などから推定することが可能である。
【００１１】
なお、発光監視手段は、発光手段からの光を受光し、受光した光強度に応じた出力を発生する光電変換手段と、光電変換手段が発生する出力を蓄積する蓄積手段と、蓄積手段の蓄積量が略一定するように蓄積手段から所定蓄積量を逐次放出させる放出制御手段と、放出制御手段による所定蓄積量の放出回数を計数し、計数結果を発光量の監視結果として出力する計数手段とを有しても良い。
【００１２】
本発明のストロボ装置のオーバーラン光量の予測には、予測演算やテーブル参照などのデジタル処理が一般的に適している。このようなデジタル処理をストロボ装置の調光制御の一環として実行するには、調光制御それ自体もデジタル式の制御であることが好ましい。
しかしながら、ストロボ発光のように高速かつ広ダイナミックレンジの現象をリアルタイムにデジタル変換するためには、それに見合った高速かつ高性能なＡ／Ｄ変換回路が必須となる。そのため、単にデジタル調光制御を実現しようとすると、ストロボ装置の構成が複雑化かつ高コスト化するという弊害が生じる。
【００１３】
そこで、上記構成では、蓄積手段の蓄積量を略一定に保つというアナログ帰還制御の過程を利用して、発光量を放出回数（デジタル量）に無理なく変換する。その結果、高速かつ高性能なＡ／Ｄ変換回路を別途設けることなく、デジタル式の調光制御が簡易な構成で実現する。
特にこのような構成では、簡易なデジタル処理（例えば、オーバーラン光量の予測値だけ目標光量または放出回数をオフセットするデジタル処理）により、発光停止タイミングを正確かつ確実に補正することが可能となる。
【００１６】
また、発光制御手段は、発光手段の発光／停止を複数回繰り返して分割発光を行う場合、発光１回ごとに発光停止タイミングの補正を行っても良い。
【００１７】
分割発光において１回ごとのチョッパ発光は、微少発光となることが多い。上述したように、本発明は従来例に比べて微少発光時の補正効果が高い。したがって、チョッパ発光１回ごとに本発明の光量補正を実施することにより、分割発光時の調光精度を格段に高めることが可能となる。
特に、チョッパ発光１回ごとの調光精度が向上することにより、フラット光とみなした場合の平均光強度を精度良く制御することが可能となる。したがって、露光期間が別途制御されるケース（例えば、シャッタをスリット移動させて露光するような場合）において、露光量を正確に制御することが可能となる。
【００１８】
また、発光制御手段は、発光手段の発光／停止を複数回繰り返して分割発光を行う場合、分割発光全体についてオーバーラン光量の総和を予測し、オーバーラン光量の総和に応じて発光回数を補正しても良い。
上記構成では、光量補正を分割発光の停止回数の補正によって実施する。したがって、露光期間が別途制御されないケース（例えば、シャッタ全開状態においてストロボ発光を行う場合）において、露光量を正確に制御することが可能となる。
【００１９】
【発明の実施の形態】
以下、図面に基づいて本発明における実施の形態を説明する。
【００２０】
《第１の実施形態》
第１の実施形態は、請求項１〜３に記載の発明に対応した実施形態である。
図１は、第１の実施形態に係るストロボ装置１１を示す図である。以下、図１を用いて、ストロボ装置１１の構成を説明する。
まず、ストロボ装置１１には、閃光発光を行う閃光発光部１２が設けられる。この閃光発光部１２は、マイクロプロセッサ１３から発光開始信号が与えられる。この閃光発光部１２の光を光ファイバーなどを介して直接受光する位置に、フォトダイオードＰＤが配置される。このフォトダイオードＰＤのカソードは電源ラインＶｃｃに接続される。一方、フォトダイオードＰＤのアノードは、ラッチ防止用の抵抗Ｒｐｄの一方の端子、キャパシタＣｐｄの一方の端子、コンパレータＣＭＰ１の正側入力端子、および定電流源ＣＳ１にそれぞれ接続される。この抵抗Ｒｐｄの他方の端子は、電源ラインＶｃｃに接続される。また、キャパシタＣｐｄの他方の端子は、グランドＧＮＤに接続される。
【００２１】
このようなコンパレータＣＭＰ１の負側入力端子には、定電圧回路を介して閾値電圧Ｖｔｈが供給される。また、コンパレータＣＭＰ１の出力は、ＤタイプのフリップフロップＦＦ１の入力端子Ｄに与えられる。
このフリップフロップＦＦ１の出力Ｑは、ナンド回路ＮＡＮＤ１の一方の入力端子に与えられる。また、フリップフロップＦＦ１のクロック端子には、サンプルクロックｆが与えられる。さらに、ナンド回路ＮＡＮＤ１の他方の入力端子には、このサンプルクロックｆの反転信号が与えられる。
【００２２】
このようなナンド回路ＮＡＮＤ１の出力ＣＴＬは、定電流源ＣＳ１の制御入力およびカウンタ１４のクロック端子に与えられる。また、カウンタ１４のリセット端子ＣＬＲには、マイクロプロセッサ１３から発光開始信号が与えられる。
このカウンタ１４の計数値は、デジタルコンパレータ１５の一方の比較入力に与えられる。このデジタルコンパレータ１５の他方の比較入力には、マイクロプロセッサ１３から比較値が設定される。
【００２３】
このデジタルコンパレータ１５の比較出力は、ワンショットタイマ１６を介して単発の発光停止信号に整形され、閃光発光部１２に与えられる。
なお、マイクロプロセッサ１３には、図示しない操作ボタン、入力端子またはホットシューなどを介して、種々の情報（Ｘ接点信号、目標光量の設定情報など）が入力される。
【００２４】
［請求項の記載事項との対応関係］
以下、第１の実施形態の構成と請求項の記載事項との対応関係について説明する。
請求項１、３に記載の発明と第１の実施形態との対応関係については、発光手段は閃光発光部１２に対応し、発光監視手段はフォトダイオードＰＤ、キャパシタＣｐｄ、コンパレータＣＭＰ１、定電流源ＣＳ１およびカウンタ１４などからなる回路に対応し、発光制御手段はデジタルコンパレータ１５およびマイクロプロセッサ１３に対応する。
請求項２に記載の発明と第１の実施形態との対応関係については、光電変換手段はフォトダイオードＰＤに対応し、蓄積手段はキャパシタＣｐｄに対応し、放出制御手段はコンパレータＣＭＰ１、フリップフロップＦＦ１、ナンド回路ＮＡＮＤ１および定電流源ＣＳ１に対応し、計数手段はカウンタ１４に対応する。
【００２５】
［第１の実施形態の動作説明］
図２は、マイクロプロセッサ１３の動作を説明する流れ図である。
図３は、マイクロプロセッサ１３の内部メモリ領域に格納される、予測テーブルの一例を示す表である。この予測テーブルには、閃光発光部１２の発光実験の結果が格納される。
【００２６】
図４は、ストロボ装置１１の回路動作を説明するためのタイミングチャートである。
以下、図２に示すステップ番号に沿って、第１の実施形態の動作を説明する。
ステップＳ１：  まず、操作者は、目標光量をガイドナンバー値としてストロボ装置１１にマニュアル設定する。マイクロプロセッサ１３は、このように設定されたガイドナンバー値を、カウンタ１４のパルス数単位に換算する。マイクロプロセッサ１３は、この換算後の目標光量とフル発光量との比率（発光率）を求める。なお、本ステップにおいて、操作者が発光率を直にマニュアル設定するようにしてもよい。
ステップＳ２：  続いて、マイクロプロセッサ１３は、図３に示す予測テーブルを参照する。この予測テーブルには、過去の実験データから求めた発光率とオーバーラン率との対応関係が記録される。マイクロプロセッサ１３は、ステップＳ１で求めた発光率に基づいて、この対応関係を補間し、オーバーラン率を予測する。
ステップＳ３：  マイクロプロセッサ１３は、
比較値＝フル発光パルス数×[（発光率）−（オーバーラン率）]    ・・（１）
を計算し、オーバーラン光量の予測分だけ少な目に見積もった比較値を求める。
ステップＳ４：  次に、マイクロプロセッサ１３は、この比較値をデジタルコンパレータ１５に設定する。
ステップＳ５：  その後、マイクロプロセッサ１３は、Ｘ接点などのタイミングに合わせて、発光開始信号を、閃光発光部１２およびカウンタ１４に送出する。
ステップＳ６：  カウンタ１４は、この発光開始信号により、計数値を初期化する。一方、閃光発光部１４は、この発光開始信号により、閃光発光を開始する。このとき、閃光発光部１２の一部の光は、フォトダイオードＰＤに受光される。フォトダイオードＰＤには、受光した光強度に応じて電子・ホール対が発生する。この電子・ホール対は、フォトダイオードＰＤの逆バイアス電圧（≒Ｖｃｃ−Ｖｔｈ）によって引き出され、光電流Ｉｒとなる。この光電流Ｉｒは、キャパシタＣｐｄに蓄積され、キャパシタＣｐｄの両端電位を引き上げる。
【００２７】
このキャパシタＣｐｄの両端電位が、コンパレータＣＭＰ１の負側入力の電位Ｖｔｈを上回ると、図４に示すように、コンパレータＣＭＰ１の出力はハイレベルに変化する。
このコンパレータ出力は、フリップフロップＦＦ１においてサンプルクロックｆの立ち上がりで保持される。このフリップフロップＦＦ１の出力Ｑがハイレベルの期間中、ナンド回路ＮＡＮＤ１の出力ＣＴＬには、サンプルクロックｆがそのまま表れる。この出力ＣＴＬによって定電流源ＣＳ１が断続的に働き、キャパシタＣｐｄから一定の電荷量が断続的に放出される。
【００２８】
このような断続的な電荷放出が繰り返されることにより、キャパシタＣｐｄの両端電位は、図４に示すようにＶｔｈの近傍に保たれる。この間、カウンタ１４は、一定電荷量の放出回数を逐次計数する。このカウンタ１４の計数値は、閃光発光部１２の発光量に該当する。
デジタルコンパレータ１５は、この計数値が、ステップＳ４で設定された比較値に到達した時点で、発光停止信号を出力する。この発光停止信号は、ワンショットタイマ１６を介して整形された後、閃光発光部１２に与えられる。
【００２９】
閃光発光部１２は、この発光停止信号にタイミングを合わせて、閃光管への供給電流などを遮断する。その後、閃光発光部１２は、ステップＳ２で予測したと同程度のオーバーラン光量を発光した後、発光を完全に停止する。以上の動作により、閃光発光部１２の総発光量は、目標光量に精度良く制御される。
以下、具体的な数値を挙げて、上記動作を説明する。フル発光量が１００００パルスであり、目標光量が１００パルス相当の微少発光と仮定する。この場合、発光率は１％となる。マイクロプロセッサ１３は、図３に示す予測テーブルを補間して、発光率１％に対応するオーバーラン率を０．３５９％と予測する。このことは、閃光発光部１２が１００パルスの発光を行う場合、３６パルス相当のオーバーラン光量が残光として発生することを示す。そこで、マイクロプロセッサ１３は、目標光量１００パルスから３６パルスを減じて、発光停止用の比較値を６４パルスとする。デジタルコンパレータ１５は、発光量の計数値が、６４パルスの比較値に到達した時点で、発光停止信号を出力する。この発光停止信号の出力後、閃光発光部１２は、ほぼ３６パルスのオーバーラン光量を発光する。その結果、閃光発光部１２の総発光量は、ほぼ１００パルスに制御される。
【００３０】
［第１の実施形態の効果など］
以上説明したように、第１の実施形態では、目標光量に応じて閃光発光部１２のオーバーラン光量を予測し、その予測結果に基づいて発光停止タイミングを早める補正を行う。したがって、上述したように発光率１％程度の微少発光においても、正確かつ確実な補正効果を得ることが可能となる。
【００３１】
また、第１の実施形態では、閃光発光部１２の発光量を放出回数の値によりデジタル量に換算する。その結果、高性能なＡ／Ｄ変換回路を別途設けることなく、オーバーラン光量の補正を簡易なデジタル処理で実現することが可能となる。特に、第１の実施形態では、目標光量をフル発光量で正規化して発光率を求め、この発光率からオーバーラン光量を予測する。その結果、昇圧電圧の変動などの影響を排除して、オーバーラン光量を正確に予測することが可能となる。
次に、別の実施形態について説明する。
【００３２】
《第２の実施形態》
第２の実施形態は、請求項１〜４に記載の発明に対応する。
図５は、第２の実施形態におけるカメラシステム２０を示す図である。なお、図５に示すストロボ装置１１の内部構成については、第１の実施形態（図１）と同一のため、ここでの説明を省略する。
【００３３】
以下、図５を用いて、カメラシステム２０の構成を説明する。
カメラシステム２０は、カメラボディ２１とストロボ装置１１とから構成される。このカメラボディ２１には、撮影レンズ２２が装着される。この撮影レンズ２２の像空間には、絞り２２ａ、ミラー２３、シャッタ２４が配置される。このシャッタ２４の後には、フィルムまたは撮像素子の撮像面２５が配置される。このシャッタ２４または撮像面２５からの反射光を受光する位置に、調光用測光部２６が配置される。この調光用測光部２６は、被写界の光量分布をマルチ測光するために、複数の測光領域を組み合わせて構成される。
【００３４】
また、カメラシステム２０には、ファインダ光学系２７が配置される。このファインダ光学系２７には、定常光を測光するための測光部２８も配置される。
このような測光部２６、２８の測光結果は、カメラ側マイクロプロセッサ２９に入力される。また、カメラ側マイクロプロセッサ２９は、ストロボ装置１１内のマイクロプロセッサ１３に対して、調光用の制御情報やＸ接点等のタイミング情報などを出力する。
【００３５】
［第２の実施形態の動作説明］
図６は、第２の実施形態の動作を説明する流れ図である。
図７は、第２の実施形態の動作を説明するタイミングチャートである。
以下、図６に示すステップ番号に沿って、第２の実施形態の動作を説明する。
まず、カメラボディ２１側では、撮影開始にあたって、絞り２２ａを所定値まで絞り、ミラー２３を跳ね上げる。この状態で、ストロボ装置１１は、次の手順で、分割発光（複数回のチョッパ発光からなる発光）を実行する。
ステップＳ１１：  マイクロプロセッサ１３は、チョッパ発光１回分の発光率を求める。マイクロプロセッサ１３は、この発光率に基づいて予測テーブルを参照し、チョッパ発光１回分のオーバーラン率を求める。
ステップＳ１２：  次に、マイクロプロセッサ１３は、
比較値＝フル発光パルス数×[（発光率）−（オーバーラン率）]    ・・（１）
を計算し、チョッパ発光用の比較値を求める。
ステップＳ１３：  マイクロプロセッサ１３は、このチョッパ発光用の比較値をデジタルコンパレータ１５に設定する。この比較値の設定により、チョッパ発光の発光停止タイミングは毎回補正され、チョッパ発光の発光量が正確に制御される。
ステップＳ１４：  マイクロプロセッサ１３は、微弱光を高感度に検出できるように、測光系の感度設定（例えば、定電流源ＣＳ１の電流値、サンプルクロックｆの周波数、コンパレータＣＭＰ１のシステリシス幅など）を変更する。
ステップＳ１５：  マイクロプロセッサ１３は、測光系回路や閃光発光部１２のウォームアップのために、チョッパ発光を２回ほどカラ打ちする。
ステップＳ１６：  カラ打ちに続けて、マイクロプロセッサ１３は、発光開始信号を定期的に出力し、分割発光を開始する。
ステップＳ１７：  マイクロプロセッサ１３は、分割発光の発光量を計測する。この場合の計測方法としては、例えば、マイクロプロセッサ１３が、発光開始信号の出力直前に、カウンタ１４の計数値を毎回読み込み、この計数値を逐次加算することによって可能となる。（なお、チョッパ発光の制御系とは別に、光量監視用の回路を設けてもよい。）
ステップＳ１８：  この分割発光の期間中、カメラボディ２１側の調光用測光部２６も、シャッタ２４の幕面からの反射光をマルチ測光する。
ステップＳ１９：  マイクロプロセッサ１３は、測光結果または発光回数が所定値に達した時点で、分割発光を終了する。
ステップＳ２０：  マイクロプロセッサ１３は、本発光を好適なダイナミックレンジで検出できるように、測光系の感度設定（例えば、定電流源ＣＳ１の電流値、サンプルクロックｆの周波数、コンパレータＣＭＰ１のシステリシス幅など）を変更する。
ステップＳ２１：  カメラボディ２１側の調光用測光部２６は、ストロボ発光無しの状態で、シャッタ２４の幕面からの反射光をマルチ測光する。
ステップＳ２２：  カメラボディ２１は、分割発光時および無発光時のマルチ測光結果に基づいて、ストロボ装置１１の適正な目標光量を計算する。この目標光量は、分割発光時にカメラボディ２１側で計測した光量との比率に換算された後、ストロボ装置１１側のマイクロプロセッサ１３に伝達される。
ステップＳ２３：  マイクロプロセッサ１３は、伝達された光量比を、分割発光時にストロボ装置１１側で計測した光量に乗じて、目標光量を求める。
ステップＳ２４：  マイクロプロセッサ１３は、ステップＳ２３で求めた目標光量を現在のフル発光量で割って発光率を求める。マイクロプロセッサ１３は、この発光率に基づいて予測テーブルを参照し、オーバーラン率を求める。マイクロプロセッサ１３は、このオーバーラン率に基づいて、
比較値＝フル発光パルス数×[（発光率）−（オーバーラン率）]×感度補正値
を計算し、本発光用の比較値を求める。
ステップＳ２５：  マイクロプロセッサ１３は、本発光用の比較値をデジタルコンパレータ１５に設定する。
ステップＳ２６：  マイクロプロセッサ１３は、カメラボディ２１側からの発光要求（例えば、シャッタ２４の全開状態で出力される）を待って、発光開始信号を出力する。
ステップＳ２７：  閃光発光部１２の本発光に伴って、カウンタ１４の計数値が増加する。このカウンタ１４の計数値が、ステップＳ２５で設定された比較値に到達すると、デジタルコンパレータ１５は発光停止信号を出力する。その結果、閃光発光部１２は、オーバーラン光量分の発光を残した段階で、閃光管への電流供給を遮断する。その後、閃光管は、ステップＳ２４で予測したと同程度のオーバーラン光量を発光して消灯する。
以上の動作により、予備発光（分割発光）および本発光からなる一連の制御シーケンスが完了する。
【００３６】
［第２の実施形態の効果など］
上述した動作においても、第１の実施形態と同様の効果を得ることができる。さらに、第２の実施形態の特徴点としては、チョッパ発光１回ごとに発光停止タイミングを補正している点である。チョッパ発光の一つ一つは極めて微弱な光となるため、従来例のような微分補正では純分な調光精度を達成できない。しかしながら、本発明の補正動作により、チョッパ発光１回ごとの発光量を精度良く制御することができる。したがって、分割発光をフラット発光とみなした場合の平均光強度を正確に制御することが可能となる。
【００３７】
［実施形態の補足事項］
なお、上述した実施形態では、発光監視手段としてデジタル測光式の回路を使用しているが、これに限定されるものではない。例えば、アナログ測光式の回路などを使用してもよい。
また、上述した第２の実施形態では、チョッパ発光１回ごとにオーバーラン光量の補正を行っている。しかしながら、これに限定されず、請求項５に記載するように、分割発光全体についてオーバーラン光量の総和を予測し、そのオーバーラン光量の総和に応じて、発光回数を補正してもよい。
【００３８】
【発明の効果】
請求項１に記載の発明では、目標光量からオーバーラン光量を予測して発光停止タイミングを補正する。したがって、従来例の微分補正のように瞬間的な光強度に依存することなく、微少発光時においてもオーバーラン光量を確実に補正することが可能となる。
【００３９】
請求項２に記載の発明では、発光量を放出回数の値によりデジタル量に換算し、リアルタイムに監視する。したがって、高性能なＡ／Ｄ変換回路を別途設けることなく、オーバーラン光量の補正処理にデジタル処理を容易に適用することが可能となる。
【００４０】
請求項３に記載の発明では、目標発光量とフル発光量との比率に基づいてオーバーラン光量を予測する。したがって、発光管の昇圧電圧変動などの影響を軽減して、オーバーラン光量を正確に予測することが可能となる。
【００４１】
請求項４に記載の発明では、チョッパ発光１回ごとに発光停止タイミングを補正するので、平均光強度の調光精度を高めることが可能となる。
【００４２】
請求項５に記載の発明では、分割発光全体のオーバーラン光量の総量から発光回数を補正するので、分割発光の調光精度を高めることができる。
【図面の簡単な説明】
【図１】第１の実施形態に係るストロボ装置１１を示す図である。
【図２】マイクロプロセッサ１３の動作を説明する流れ図である。
【図３】マイクロプロセッサ１３の内部メモリ領域に格納される、予測テーブルの一例を示す表である。
【図４】ストロボ装置１１の回路動作を説明するためのタイミングチャートである。
【図５】第２の実施形態におけるカメラシステム２０を示す図である。
【図６】第２の実施形態の動作を説明する流れ図である。
【図７】第２の実施形態の動作を説明するタイミングチャートである。
【図８】従来のストロボ装置を示す図である。
【図９】ストロボ発光波形を示す図である。
【符号の説明】
１１  ストロボ装置
１２  閃光発光部
１３  マイクロプロセッサ
１４  カウンタ
１５  デジタルコンパレータ
２０  カメラシステム
２１  カメラボディ
２２  撮影レンズ
２４  シャッタ
２５  撮像面
２６  調光用測光部
２８  測光部
２９  カメラ側マイクロプロセッサ
ＰＤ  フォトダイオード
Ｒｐｄ  ラッチ防止用の抵抗
Ｃｐｄ  キャパシタ
ＣＭＰ１  コンパレータ
ＦＦ１  フリップフロップ
ＮＡＮＤ１  ナンド回路
ＣＳ１  定電流源
【図１】
0004479036.tif 000002
【図２】
0004479036.tif 000003
【図３】
0004479036.tif 000004
【図４】
0004479036.tif 000005
【図５】
0004479036.tif 000006
【図６】
0004479036.tif 000007
【図７】
0004479036.tif 000008
【図８】
0004479036.tif 000009
【図９】
0004479036.tif 000010